(57)【特許請求の範囲】
【請求項１】
被写体の像を撮像して画像を生成する撮像素子と、
ユーザからの押圧操作と該押圧操作の解除を受け付ける受付部と、
前記受付部を介して前記押圧操作の状態を検知する検知部と、
前記検知部が第１の押圧操作を検知した場合、撮影準備を開始する撮影準備部と、
前記撮像素子が時系列に出力する前記画像に基づいて、動画記録を行なう動画記録部とを備え、
前記動画記録部は、前記撮影準備の完了後に前記動画記録を開始し、前記検知部が前記第１の押圧操作の解除を検知した場合、そのタイミングでの動画のフレームを特定する第１のマーキング情報を記録し、前記検知部が第２の押圧操作を検知した場合、そのタイミングでの動画のフレームを特定する第２のマーキング情報を記録し、前記検知部が前記第２の押圧操作の解除を検知した場合、前記動画記録を終了する
ことを特徴とする電子機器。
【請求項２】
請求項１に記載の電子機器において、
前記画像を表示する表示部をさらに備え、
静止画のアスペクト比と動画のアスペクト比とが異なる場合、前記撮影準備部は、前記表示部の画面表示を動画撮影用の表示態様とすることを特徴とする電子機器。
【請求項３】
請求項２に記載の電子機器において、
前記撮影準備部は、前記受付部が前記ユーザからの押圧操作を受け付けている間、前記表示部に前記動画のアスペクト比の撮影範囲を表示し続けることを特徴とする電子機器。
【請求項４】
請求項２又は請求項３に記載の電子機器において、
前記撮影準備部は、前記表示態様として、前記動画のアスペクト比を示す表示枠を前記表示部に表示させることを特徴とする電子機器。
【請求項５】
請求項１から請求項４の何れか１項に記載の電子機器において、
前記撮影準備部は、自動露出制御と自動合焦制御との少なくとも一方を行なうことを特徴とする電子機器。
【請求項６】
請求項１から請求項５の何れか１項に記載の電子機器において、
静止画を記録するレリーズ釦をさらに備えることを特徴とする電子機器。
【請求項７】
請求項１から請求項６の何れか１項に記載の電子機器において、
前記撮影準備部は、前記検知部が前記第１の押圧操作を検知した場合、静止画の撮影モードから動画の撮影モードに切り替えることを特徴とする電子機器。
【請求項８】
ユーザにより操作される操作部と、
前記操作部の状態を検知する検知部と、
前記検知部が第１操作を検知したとき動画の記録を開始し、前記検知部が前記第１操作の解除を検知したときの前記動画のフレームを特定する第１情報を記録し、前記検知部が第２操作を検知したときの前記動画のフレームを特定する第２情報を記録し、前記検知部が前記第２操作の解除を検知したとき前記動画の記録を終了する記録部と
を備えることを特徴とする電子機器。
【発明の詳細な説明】
【技術分野】
【０００１】
本発明は、動画撮影機能を有する電子機器に関する。
【背景技術】
【０００２】
動画撮影機能を有する電子機器の一種である電子カメラにおいては、静止画撮影の指示入力と動画撮影の指示入力とを１つのボタンで兼用した機種が知られている（例えば、特許文献１参照）。上記の従来技術の電子カメラでは、スライド式のボタンによって静止画撮影及び動画撮影を選択的に行なえる。
【先行技術文献】
【特許文献】
【０００３】
【特許文献１】特許第４０２２６８９号
【発明の概要】
【発明が解決しようとする課題】
【０００４】
しかし、上記の従来技術の電子カメラでは、例えば、静止画撮影から動画撮影に切り替えて動画をメモリに記録する場合、実際に記録が開始されるまでには、電子カメラ内部での動画記録の準備処理等により、タイムラグが生じてしまう。そのため、ユーザは、所望の瞬間からの撮影機会を逃すおそれがある。
【０００５】
そこで、本発明は、上記事情に鑑み、所望の瞬間からの撮影機会を逃さないようにして動画記録が可能な電子機器を提供することを目的とする。
【課題を解決するための手段】
【０００６】
第１の発明に係る電子機器は、撮像素子と、受付部と、検知部と、撮影準備部と、動画記録部とを備える。撮像素子は、被写体の像を撮像して画像を生成する。受付部は、ユーザからの押圧操作と該押圧操作の解除を受け付ける。検知部は、受付部を介して押圧操作の状態を検知する。撮影準備部は、検知部が第１の押圧操作を検知した場合、撮影準備を開始する。動画記録部は、撮像素子が時系列に出力する画像に基づいて、動画記録を行なう。そして、動画記録部は、撮影準備の完了後に動画記録を開始し、検知部が第１の押圧操作の解除を検知した場合、そのタイミングでの動画のフレームを特定する第１のマーキング情報を記録し、検知部が第２の押圧操作を検知した場合、そのタイミングでの動画のフレームを特定する第２のマーキング情報を記録し、検知部が第２の押圧操作の解除を検知した場合、動画記録を終了する。
【００１０】
第２の発明は、第１の発明において、画像を表示する表示部をさらに備える。静止画のアスペクト比と動画のアスペクト比とが異なる場合、撮影準備部は、表示部の画面表示を動画撮影用の表示態様とする。
【００１１】
第３の発明は、第２の発明において、撮影準備部は、受付部がユーザからの押圧操作を受け付けている間、表示部に動画のアスペクト比の撮影範囲を表示し続ける。
【００１２】
第４の発明は、第２又は第３の発明において、撮影準備部は、表示態様として、動画のアスペクト比を示す表示枠を表示部に表示させる。
【００１３】
第５の発明は、第１から第４の何れか１の発明において、撮影準備部は、自動露出制御と自動合焦制御との少なくとも一方を行なう。
【００１４】
第６の発明は、第１から第５の何れか１の発明において、静止画を記録するレリーズ釦をさらに備える。
【００１５】
第７の発明は、第１から第６の何れか１の発明において、撮影準備部は、検知部が第１の押圧操作を検知した場合、静止画の撮影モードから動画の撮影モードに切り替える。
第８の発明は、操作部と、検知部と、記録部とを備える。操作部は、ユーザにより操作される。検知部は、操作部の状態を検知する。記録部は、検知部が第１操作を検知したとき動画の記録を開始し、検知部が第１操作の解除を検知したときの動画のフレームを特定する第１情報を記録し、検知部が第２操作を検知したときの動画のフレームを特定する第２情報を記録し、検知部が第２操作の解除を検知したとき動画の記録を終了する。
【発明の効果】
【００１６】
本発明によれば、所望の瞬間での撮影機会を逃さないようにして動画記録が可能な電子機器を提供することができる。
【図面の簡単な説明】
【００１７】
【図１】本実施形態の電子カメラ１の構成例を説明するブロック図
【図２】電子カメラ１の筐体の背面図
【図３】第１実施形態の動画撮影処理の一例を示すフローチャート
【図４】動画撮影処理の時系列変化を説明する図
【図５】第１実施形態の動画撮影処理の一部を模式的に表した図
【図６】第２実施形態の動画撮影処理の一例を示すフローチャート
【発明を実施するための形態】
【００１８】
（第１実施形態）
以下、図面に基づいて本発明の実施の形態を詳細に説明する。ここでは、本発明の電子機器の一実施形態である電子カメラを例に取り上げて説明する。
【００１９】
図１は、本実施形態の電子カメラ１の構成例を説明するブロック図である。電子カメラ１は、図１に示す通り、撮影光学系１０と、レンズ駆動部１１と、絞り１２と、絞り駆動部１３と、撮像素子１４と、信号処理部１５と、ＲＡＭ（Random Access Memory）１６と、画像処理部１７と、フラッシュメモリ１８と、記録インターフェース部（以下「記録Ｉ／Ｆ部」という）１９と、表示モニタ２０と、タッチパネル２１と、動画ボタン２２と、レリーズ釦２３と、操作部２４と、ＣＰＵ（Central Processing Unit）２５と、バス２６とを備える。
【００２０】
このうち、信号処理部１５、ＲＡＭ１６、画像処理部１７、フラッシュメモリ１８、記録Ｉ／Ｆ部１９、表示モニタ２０及びＣＰＵ２５は、バス２６を介して互いに接続されている。
【００２１】
撮影光学系１０は、ズームレンズと、フォーカスレンズとを含む複数のレンズ群で構成されている。レンズ駆動部１１は、撮影光学系１０内でズームレンズやフォーカスレンズのレンズ位置をＣＰＵ２５の指示に応じて光軸方向に調整する。なお、簡単のため、図１では、撮影光学系１０を１枚のレンズとして図示する。
【００２２】
絞り１２は、撮像素子１４に入射する単位時間当たりの光量を調節する。絞り駆動部１３は、絞り１２の開口量をＣＰＵ２５の指示に応じて調整する。
【００２３】
撮像素子１４は、撮影光学系１０及び絞り１２を通過した被写体の像を撮像し、アナログの画像信号（画像）を生成する。そして、撮像素子１４が出力するアナログの画像信号は、信号処理部１５に入力される。なお、撮像素子１４の撮像面には、Ｒ（赤）、Ｇ（緑）Ｂ（青）の３種類のカラーフィルタが例えばベイヤー配列で配置されている。また、撮像素子１４の電荷蓄積時間及び画像信号の読み出しは、タイミングジェネレータ（不図示）によって制御される。なお、撮像素子１４は、ＣＣＤ（Charge Coupled Device）型、又は、ＣＭＯＳ（Complementary Metal-Oxide Semiconductor）型のイメージセンサである。
【００２４】
信号処理部１５は、撮像素子１４が出力する画像信号に対してアナログ信号処理を施すアナログフロントエンド回路（ＡＦＥ）と、そのＡＦＥでアナログ信号処理が施された画像信号に対して、デジタル信号処理を施すデジタルフロントエンド回路（ＤＦＥ）とを有する。信号処理部１５のＡＦＥは、アナログの画像信号に対して相関二重サンプリングやゲイン調整をした後、アナログの画像信号をデジタルの画像信号に変換する（Ａ／Ｄ変換）処理等を行なう。ここで、信号処理部１５のＡＦＥは、画像信号のゲインを調整することで、ＩＳＯ感度に相当する撮像感度を調整できる。
【００２５】
また、信号処理部１５のＤＦＥは、Ａ／Ｄ変換されたデジタルの画像信号の補正処理等を行なう。この信号処理部１５が出力する画像信号は、ＲＧＢ信号の画像データとしてＲＡＭ１６に一時的に記録される。ＲＡＭ１６は、画像データを一時的に記録するフレームメモリを有する。
【００２６】
画像処理部１７は、ＲＡＭ１６に記録されている画像データを読み出し、必要に応じて各種の画像処理（例えば、色補間処理、ホワイトバランス等）を施す。
【００２７】
フラッシュメモリ１８は、電子カメラ１の制御を行なうプログラム等を予め記憶している不揮発性のメモリである。このフラッシュメモリ１８は、書き換え可能な不揮発性の半導体メモリである。ＣＰＵ２５は、このプログラムに従い、一例として後述の図３、６に示すフローの処理を実行する。
【００２８】
記録Ｉ／Ｆ部１９には、着脱自在の記録媒体３０を接続するためのコネクタ（不図示）が形成されている。そして、記録Ｉ／Ｆ部１９は、そのコネクタに接続された記録媒体３０にアクセスして静止画又は動画の記録処理等を行なう。この記録媒体３０は、例えば、不揮発性のメモリカードである。図１では、コネクタに接続された後の記録媒体３０を示している。
【００２９】
表示モニタ２０は、例えば液晶表示媒体により構成される。表示モニタ２０は、ＣＰＵ２５の指示に応じて各種画像や電子カメラ１の操作メニュー等を表示する。なお、表示モニタ２０は、例えば、アスペクト比が４：３に対応している。そのため、ＣＰＵ２５は、電子カメラ１の電源オンの後、アスペクト比が４：３のスルー画像を表示モニタ２０に表示させる。
【００３０】
タッチパネル２１は、表示モニタ２０上に設けられたタッチパネル表面に接触した指先等の位置を検出する。そして、タッチパネル２１は、検出した位置情報をＣＰＵ２５に出力することでユーザからの操作を受け付ける。
【００３１】
動画ボタン２２は、ユーザからの押圧操作とその押圧操作の解除とを受け付ける一段式の動画ボタンである。ここで、ユーザが指の押圧操作を緩める等して押圧操作を解除すると、動画ボタン２２は、元の位置に戻る。動画ボタン２２は、押圧操作の指示入力又は押圧操作の解除の指示入力をＣＰＵ２５に出力する。レリーズ釦２３は、半押し操作（撮像の準備動作開始）の指示入力と全押し操作（撮像の動作開始）との指示入力とを受け付ける二段式のレリーズ釦である。本実施形態では、動画ボタン２２とレリーズ釦２３とを独立に設けることにより、操作性の向上を図ることができるので、その分、撮影機会を逃さずに済む。
【００３２】
図２は、電子カメラ１の筐体の背面図である。電子カメラ１の筐体の背面には、一例として、表示モニタ２０と、操作部２４として、広角ズームボタン２４ａと、望遠ズームボタン２４ｂと、メニューボタン２４ｃと、選択・決定ボタン２４ｄとが備えられている。また、電子カメラ１の筐体の背面には、操作部２４と独立に、動画ボタン２２が備えられている。また、電子カメラ１の筐体の上面には、レリーズ釦２３と操作部２４として電源ボタン２４ｅとが備えられている。
【００３３】
広角ズームボタン２４ａは、焦点距離を広角側に変更し、望遠ズームボタン２４ｂは焦点距離を望遠側に変更する。メニューボタン２４ｃは、メニュー画面を立ち上げるための操作をユーザから受け付ける。選択・決定ボタン２４ｄは、電子カメラ１の操作メニューにおける設定条件等の項目選択又は項目決定をユーザから受け付ける。ここで、選択・決定ボタン２４ｄは、決定釦２４ｆとダイヤル２４ｇとを有する。ダイヤル２４ｇの全体形状は、環状であって、ダイヤル２４ｇの内周側には決定釦２４ｆが配置されている。そして、ダイヤル２４ｇは、例えばメニュー画面等での項目選択の入力をユーザから受け付ける。電源ボタン２４ｅは、電子カメラ１の電源（不図示）のオン又はオフを受け付ける。
【００３４】
再び、図１に戻り、ＣＰＵ２５は、各種演算及び電子カメラ１の制御を行なうプロセッサである。ＣＰＵ２５は、フラッシュメモリ１８に予め格納されたシーケンスプログラムを実行することにより、電子カメラ１の各部の制御等を行なう。また、ＣＰＵ２５は、時間を計測するタイマ機能を有している。さらに、ＣＰＵ２５は、検知部２５ａ、撮影準備部２５ｂ、動画記録部２５ｃ、静止画記録部２５ｄとしても機能する。
【００３５】
検知部２５ａは、動画ボタン２２を介して押圧操作の状態を検知する。具体的には、検知部２５ａは、動画ボタン２２が出力した押圧操作の指示入力又は押圧操作の解除の指示入力を検知する。例えば、検知部２５ａは、押圧操作の状態をフラグ情報で管理する。これにより、検知部２５ａは、押圧操作の指示入力を検知すると、フラグ情報を、オフからオンに変更する。検知部２５ａは、フラグ情報がオン状態である場合には、ユーザが動画ボタン２２を押し続けている状態であると判定する。また、検知部２５ａは、押圧操作の解除の指示入力を検知すると、フラグ情報を、オンからオフに変更する。
【００３６】
また、検知部２５ａは、押圧操作の指示入力の回数をカウントする。これにより、ＣＰＵ２５は、押圧操作の指示入力の回数に応じて処理内容を変更する（詳細は後述する）。なお、検知部２５ａは、動画記録が終了すると、フラグ情報をオフに設定すると共に、押圧操作の指示入力の回数をゼロにリセットする。
【００３７】
撮影準備部２５ｂは、検知部２５ａが第１の押圧操作を検知した場合、撮影準備を開始する。具体的には、撮影準備部２５ｂは、静止画の撮影モードから動画の撮影モードに切り替える。これにより、ユーザは、メニューボタン２４ｃ等で静止画の撮影モードから動画の撮影モードに切り替える手間が省けるので、その分、撮影機会を逃さずに済む。
【００３８】
また、撮影準備部２５ｂは、自動露出制御（以下「ＡＥ制御」という）及び自動合焦制御（以下「ＡＦ制御」という）を行なう。具体的には、撮影準備部２５ｂは、ＡＥ制御として、撮影画面内の被写体輝度に基づいて適正露出を算出する。
【００３９】
また、撮影準備部２５ｂは、ＡＦ制御として、撮影画面内に設定した測距点に対して、鮮鋭度（コントラスト状態）を示す評価値が最大値となる合焦位置を探索するコントラストＡＦ（ＡＦ：Ａｕｔｏ  Ｆｏｃｕｓ）の処理を行なう。これらの制御により、撮影準備部２５ｂは、動画の画質を高めることができる。
【００４０】
さらに、撮影準備部２５ｂは、静止画のアスペクト比と動画のアスペクト比とが異なる場合に表示モニタ２０の画面表示を動画撮影用の表示態様とする。具体的には、撮影準備部２５ｂは、動画のアスペクト比を示す表示枠を表示モニタ２０に表示させる。例えば、撮影準備部２５ｂは、動画ボタン２２がユーザからの押圧操作を受け付けている間、表示モニタ２２に動画のアスペクト比の撮影範囲を表示し続けても良い。これにより、ユーザは、撮影範囲を容易に認識することができる。
【００４１】
動画記録部２５ｃは、撮像素子１４が時系列に出力する画像に基づいて、動画記録を行なう。具体的には、動画記録部２５ｃは、第１の押圧操作の解除を検知部２５ａが検知した場合、動画記録を開始する。この場合、動画記録部２５ｃは、動画データを例えば公知のモーションＪＰＥＧ（Joint Photgraphic Experts Group）形式に従って記録媒体３０に記録する。
【００４２】
このモーションＪＰＥＧ形式では、一例として、ＣＰＵ２５は、信号処理部１５が出力したＲＧＢの画像データを一旦ＲＡＭ１６のフレームメモリに記憶させる。続いて、画像処理部１７は、一例としてＲＧＢ信号の画像データを輝度信号（Ｙ信号）と色差信号（Ｃｒ、Ｃｂ信号）とからなるＹＣ信号の画像データに変換（ＹＣ変換）する。そして、動画記録部２５ｃは、１フレーム（ＹＣ信号の画像データ）毎にＪＥＰＧ形式の圧縮処理を行なって、記録媒体３０又はフラッシュメモリ１８に一定のフレームレートで静止画を連続的に記録していく。
【００４３】
なお、動画のファイル形式は、モーションＪＥＰＧに限定されず、ＭＰＥＧ（Moving Picture Experts Group）など他のファイル形式を適用しても良い。なお、動画記録部２５ｃは、設定に応じてマイク（不図示）を介して音声のデータも記録する。
【００４４】
また、動画記録部２５ｃは、動画記録中に検知部２５ａが第２の押圧操作を検知した場合、動画記録を終了する。静止画記録部２５ｄは、レリーズ釦２３の全押し操作に応答して記録用の静止画像（本画像）を記録媒体３０又はフラッシュメモリ１８に記録する。
【００４５】
次に、電子カメラ１における動画撮影処理の一例を説明する。図３は、第１実施形態の動画撮影処理の一例を示すフローチャートである。図４は、動画撮影処理の時系列変化を説明する図である。図４（ａ）は、被写体の様子を時間の流れに沿って（時刻ｔ０〜ｔ５）に区分けした状態を示す。図４（ｂ）は、比較例として、従来の動画撮影処理の時系列変化の一例を示す。
【００４６】
図４（ｃ）は、第１実施形態における動画撮影処理の時系列変化の一例を示す。図４（ｄ）は、第２実施形態における動画撮影処理の時系列変化の一例を示す。図４（ｄ）については、第２実施形態で説明する。
【００４７】
ここで、比較のため、従来の動画撮影処理の一例について簡単に説明する。図４（ｂ）において、従来の動画撮影処理では、スルー画像の表示中にユーザ入力により動画ボタンがオン（押下）された場合、静止画の撮影モードから動画の撮影モードに切り替える。そして、従来の動画撮影処理では、静止画のアスペクト比（例えば、４：３）から動画のアスペクト比（例えば、１６：９）に切り替えてスルー画像を表示モニタに表示させる。続いて、従来の動画撮影処理では、動画記録を開始し、再度動画ボタンがオンされた場合、動画記録を終了する。その後、従来の動画撮影処理では、動画の撮影モードから静止画の撮影モードに切り替えると共に、動画のアスペクト比から静止画のアスペクト比に切り替えてスルー画像を表示モニタに表示させる。
【００４８】
つまり、従来の動画撮影処理では、上述した通り、実際に動画記録が開始されるまでに電子カメラ内部での動画記録の準備処理（例えば、ＡＥ制御及びＡＦ制御）や表示処理等によりタイムラグが生じるため、ユーザは、所望の瞬間から撮影するのが難しい。すなわち、ユーザは、動画記録の開始時刻を制御することが困難となる。
【００４９】
また、従来の動画撮影処理では、表示モニタに表示されるスルー画像の表示範囲と動画記録する撮影範囲が異なり、ユーザの想定している意図した構図で撮影できない場合がある。また、アスペクト比の違いを事前に表示させる機能においては、スルー画像の表示画面に格子線やハッチング領域といった情報を表示させる必要があり、画面が煩雑になってしまう場合がある。
【００５０】
そこで、本実施形態では、ユーザにとって所望の瞬間からの動画記録を容易とする手段を提供する。また、本実施形態では、ユーザの想定している意図した構図で動画撮影できる手段を提供する。さらに、本実施形態では、表示画面が煩雑にならずに済む手段を提供する。以下、図３に示すフローの処理を具体的に説明する。
【００５１】
ここで、電子カメラ１の電源がオンされた後、ＣＰＵ２５は、図３に示すフローの処理を開始させる。なお、フローの処理は、図４（ｃ）に示す動画撮影処理の時系列変化に対応付けられている。
【００５２】
ステップＳ１０１：ＣＰＵ２５は、撮影待機状態に移行する。具体的には、ＣＰＵ２５は、撮像素子１４を駆動させてスルー画像を生成させる。一例として、ＣＰＵ２５は、所定のフレームレート（例えば、３０ｆｐｓ）で撮像素子１４にスルー画像を生成させる。そして、ＣＰＵ２５は、表示モニタ２０にスルー画像（アスペクト比４：３）を表示させる。また、ＣＰＵ２５は、スルー画像（アスペクト比４：３）に対してもＡＥ制御及びＡＦ制御を行なう。
【００５３】
ステップＳ１０２：ＣＰＵ２５の検知部２５ａは、ユーザにより動画ボタン２２のオン（第１の押圧操作の指示入力）がなされたか否かを判定する。検知部２５ａが動画ボタン２２のオン（第１の押圧操作の指示入力）を検知しない場合（ステップＳ１０２：Ｎｏ）、ＣＰＵ２５は、ステップＳ１０１の処理に戻る。
【００５４】
一方、検知部２５ａが動画ボタン２２のオン（第１の押圧操作の指示入力）を検知した場合（ステップＳ１０２：Ｙｅｓ）、ＣＰＵ２５は、ステップＳ１０３の処理に移行する。なお、検知部２５ａは、フラグ情報を、オフからオンに変更する。また、検知部２５ａは、押圧操作の指示入力の回数を１としてカウントする。
【００５５】
ステップＳ１０３：ＣＰＵ２５の撮影準備部２５ｂは、撮影準備を開始する。具体的には、撮影準備部２５ｂは、静止画の撮影モードから動画の撮影モードに切り替える。これにより、撮影準備部２５ｂは、動画撮影用のアスペクト比として、撮影画面をフルハイビジョンのアスペクト比（１６：９）とし、ＡＥ制御やＡＦ制御の処理を行なう。そして、ＣＰＵ２５は、ステップＳ１０４の処理に移行する。
【００５６】
ステップＳ１０４：撮影準備部２５ｂは、表示モニタ２０の画面表示の変更処理を行なう。具体的には、撮影準備部２５ｂは、表示モニタ２０の画面表示の表示態様を静止画から動画に変更するため、動画のアスペクト比を示す表示枠を表示モニタ２０に表示させる。図５は、第１実施形態の動画撮影処理の一部を模式的に表した図である。撮影準備部２５ｂは、図５（ａ）に示す通り、ステップＳ１０４の処理により表示モニタ２０に表示枠２０ａ、２０ｂを表示させる。これにより、ユーザは、動画撮影のアスペクト比が容易に認識することができる。そして、ＣＰＵ２５は、ステップＳ１０５の処理に移行する。
【００５７】
なお、図５（ａ）に示す表示枠２０ａ、２０ｂの表示形態は、一例であって、例えば、撮影準備部２５ｂは、動画撮影用のアスペクト比を示すラインを表示モニタ２０に重畳表示させても良い。また、ＣＰＵ２５は、後述するステップＳ１１１で動画の撮影モードが解除されるまで、表示モニタ２０に表示枠２０ａ、２０ｂを表示させると共に、スルー画像を表示する。
【００５８】
ステップＳ１０５：検知部２５ａは、ユーザにより所定時間内に動画ボタン２２のオフ（第１の押圧操作の解除の指示入力）がなされたか否かを判定する。このステップＳ１０５は、ユーザが動画ボタン２２をオンした後、短時間（所定時間：例えば、１秒以内）に動画ボタン２２をオフした場合を想定している。
【００５９】
検知部２５ａが動画ボタン２２のオフを検知した場合（ステップＳ１０５：Ｙｅｓ）、ＣＰＵ２５は、後述するステップＳ１０９の処理に移行する。なお、検知部２５ａは、フラグ情報を、オンからオフに変更する。
【００６０】
一方、検知部２５ａが動画ボタン２２のオフを検知しない場合（ステップＳ１０５：Ｎｏ）、ＣＰＵ２５は、ステップＳ１０６の処理に移行する。
【００６１】
ステップＳ１０６：撮影準備部２５ｂは、動画記録の待機状態に移行する。具体的には、撮影準備部２５ｂは、ＡＥ制御やＡＦ制御の処理を行ないつつ、動画記録の指示入力待ちとする。この場合、検知部２５ａは、フラグ情報がオン状態であるため、ユーザが動画ボタン２２を押し続けていると判断することができる。そして、ＣＰＵ２５は、ステップＳ１０７の処理に移行する。
【００６２】
ステップＳ１０７：検知部２５ａは、ユーザにより動画ボタン２２のオン状態を維持しているか否かを判定する。換言すると、検知部２５ａは、ユーザにより設定時間内に動画ボタン２２のオフ（第１の押圧操作の解除の指示入力）がなされたか否かを判定する。検知部２５ａが動画ボタン２２のオフを検知した場合（ステップＳ１０７：Ｎｏ）、ＣＰＵ２５は、後述するステップＳ１０９の処理に移行する。一方、検知部２５ａが動画ボタン２２のオフを検知しない場合（ステップＳ１０７：Ｙｅｓ）、ＣＰＵ２５は、ステップＳ１０８の処理に移行する。
【００６３】
ステップＳ１０８：検知部２５ａは、設定時間を経過したか否かを判定する。具体的には、検知部２５ａは、一例として設定時間を３０秒に設定する。そして、検知部２５ａは、ＣＰＵ２５内のタイマ機能を利用して時間を計測し、３０秒経過したか否かを判定する。設定時間を経過していない場合（ステップＳ１０８：Ｎｏ）、ＣＰＵ２５は、ステップＳ１０６の処理に戻る。一方、設定時間を経過した場合（ステップＳ１０８：Ｙｅｓ）、ＣＰＵ２５は、後述するステップＳ１１１の処理に移行する。
【００６４】
ステップＳ１０９：ＣＰＵ２５の動画記録部２５ｃは、撮像素子１４が時系列に出力する画像に基づいて、動画記録を開始する。図５（ｂ）では、複数のフレーム（アスペクト比１６：９）が動画記録される様子を模式的に表している。動画記録部２５ｃは、複数のフレームの動画データをモーションＪＰＥＧ形式に従って記録媒体３０に順次記録する。この場合、動画記録部２５ｃは、撮影動画サイズとして、一例として、スルー画像の画像サイズ（例えばＶＧＡ（Video Graphics Array：６４０×４８０ピクセルの画面解像度））から、設定条件に応じて、ＨＤ（high definition：１２８０×７２０ピクセルの画面解像度）の画像サイズ又はフルＨＤ（１９２０×１０８０ピクセルの画面解像度）の画像サイズに変更して動画記録する。
【００６５】
ステップＳ１１０：検知部２５ａは、ユーザにより動画ボタン２２のオン（第２の押圧操作の指示入力）がなされたか否かを判定する。検知部２５ａが動画ボタン２２のオン（第２の押圧操作の指示入力）を検知しない場合（ステップＳ１１０：Ｎｏ）、ＣＰＵ２５は、ステップＳ１０９の処理に戻り、動画記録を継続する。
【００６６】
一方、検知部２５ａは、動画ボタン２２のオン（第２の押圧操作の指示入力）を検知した場合（ステップＳ１１０：Ｙｅｓ）、フラグ情報を、オフからオンに変更する。また、検知部２５ａは、押圧操作の指示入力の回数を２としてカウントする。これにより、撮影準備部２５ｂは、検知部２５ａが第２の押圧操作を検知したと判断できるので、撮影準備を開始せずに済む。そして、ＣＰＵ２５は、ステップＳ１１１の処理に移行する。
【００６７】
ステップＳ１１１：ＣＰＵ２５は、動画の撮影モードを解除する。そして、ＣＰＵ２５は、静止画の撮影モードに切り替える。また、ＣＰＵ２５は、フラグ情報を、リセットして、オンからオフに変更する。さらに、ＣＰＵ２５は、押圧操作の指示入力の回数をゼロにリセットする。そして、ＣＰＵ２５は、ステップＳ１１２の処理に移行する。
【００６８】
ステップＳ１１２：ＣＰＵ２５は、表示モニタ２０の画面表示の変更処理を行なう。具体的には、ＣＰＵ２５は、表示モニタ２０の画面表示の表示態様を動画から静止画に変更するため、表示枠２０ａ、２０ｂを表示モニタ２０から消去すると共にスルー画像（アスペクト比４：３）を表示させる。図５（ｃ）では、動画記録終了後の表示モニタ２０の表示態様を表している。そして、ＣＰＵ２５は、図３に示すフローの処理を終了させる。
【００６９】
なお、図５（ｃ）に示す状態で、例えば、ユーザがレリーズ釦２３により全押し操作をすると、ＣＰＵ２５の静止画記録部２５ｄは、その全押し操作に応答して本画像を記録媒体３０に記録する。具体的には、静止画記録部２５ｄは、撮像素子１４を駆動して本画像のアナログの画像信号を生成させる。そして、信号処理部１５は、アナログの画像信号のＡ／Ｄ変換等を行なう。この信号処理部１５が出力するデジタルの画像信号は、ＲＡＭ１６に記録用の画像データとして一旦記録される。画像処理部１７は、ＲＡＭ１６に記録されている画像データを読み出し、必要に応じて各種の画像処理を施す。静止画記録部２５ｄは、記録Ｉ／Ｆ部１９を介して記録媒体３０にアクセスして本画像の記録処理を行なう。
【００７０】
ここで、従来の動画撮影処理では、図４（ａ）、（ｂ）に示す通り、被写体の様子が、時刻ｔ１から時刻ｔ２までの一部と、時刻ｔ２から時刻ｔ３までの動画を記録することができるが、構図を確定するためのフレーミングが十分に行なうことが困難である。さらに、ユーザにとって、時刻ｔ２が所望の動画記録の開始のタイミングとした場合、不要な動画も記録してしまうことになる。
【００７１】
一方、電子カメラ１の動画撮影処理によれば、ユーザが動画ボタン２２を押し続けている間は、動画記録の待機状態を維持するので、ユーザが所望したフレーミングを合わせやすくなる。また、電子カメラ１の動画撮影処理によれば、検知部２５ａが動画ボタン２２のオン（第１の押圧操作の指示入力）を検知した場合、撮影準備部２５ｂが動画のアスペクト比を示す表示枠を表示モニタ２０に表示させる。そのため、電子カメラ１は、静止画のモード時に動画表示用の格子線やハッチング領域といった情報を表示させる必要がなく、表示画面が煩雑にならずに済む。
【００７２】
さらに、電子カメラ１の動画撮影処理によれば、不用意に操作ボタンやメニューを追加することなく、電子カメラ１は、ユーザが動画ボタン２２をオフした瞬間に動画記録を開始する。そのため、ユーザにとって時刻ｔ２が所望の動画記録の開始のタイミングとした場合、電子カメラ１は、タイムラグを発生させずに時刻ｔ２から動画記録を開始することができる。そして、電子カメラ１は、再度、検知部２５ａが動画ボタン２２のオンを検知した場合、動画記録を終了する。これにより、電子カメラ１では、操作性の向上を図ることができる。
【００７３】
以上より、本実施形態の電子カメラ１は、ユーザにとって所望の瞬間での撮影機会を逃さないようにして動画記録を行なうことができる。
【００７４】
（第２実施形態）
次に本発明の第２実施形態について説明する。第２実施形態の電子カメラでは、動画記録の際、後で動画の編集がしやすいようにするための編集機能（マーキング機能）を追加する。
【００７５】
なお、図１の電子カメラ１の構成例を説明するブロック図において、本発明の第１実施形態と本発明の第２実施形態とでは、同じ要素については同じ符号を付して異なる点について構成を説明する。
【００７６】
第２実施形態では、動画記録部２５ｃの機能が異なる。具体的には、動画記録部２５ｃは、撮影準備部２５ｂによる撮影準備の完了後に動画記録を開始する。続いて、動画記録部２５ｃは、検知部２５ａが第１の押圧操作の解除を検知した場合、そのタイミングでの動画のフレームを特定する第１のマーキング情報を記録する。さらに、動画記録部２５ｃは、検知部２５ａが第２の押圧操作を検知した場合、そのタイミングでの動画のフレームを特定する第２のマーキング情報を記録する。そして、動画記録部２５ｃは、検知部が第２の押圧操作の解除を検知した場合、動画記録を終了する。
【００７７】
以下、第２実施形態の電子カメラ１における動画撮影処理の一例を説明する。図６は、第２実施形態の動画撮影処理の一例を示すフローチャートである。
【００７８】
電子カメラ１の電源がオンされた後、ＣＰＵ２５は、図６に示すフローの処理を開始させる。なお、ステップＳ２０１からステップＳ２０４までの処理は、図３に示すフローの処理（ステップＳ１０１〜ステップＳ１０４）と同様であるので説明を簡略化する。また、図６に示すフローの処理は、図４（ｄ）に示す動画撮影処理の時系列変化に対応付けられている。
【００７９】
ステップＳ２０１：ＣＰＵ２５は、撮影待機状態に移行する。
【００８０】
ステップＳ２０２：検知部２５ａは、ユーザにより動画ボタン２２のオン（第１の押圧操作の指示入力）がなされたか否かを判定する。検知部２５ａが動画ボタン２２のオンを検知しない場合（ステップＳ２０２：Ｎｏ）、ＣＰＵ２５は、ステップＳ２０１の処理に戻る。一方、検知部２５ａが動画ボタン２２のオンを検知した場合（ステップＳ２０２：Ｙｅｓ）、ＣＰＵ２５は、ステップＳ２０３の処理に移行する。なお、検知部２５ａは、フラグ情報を、オフからオンに変更する。
【００８１】
ステップＳ２０３：撮影準備部２５ｂは、撮影準備を開始する。そして、ＣＰＵ２５は、ステップＳ２０４の処理に移行する。
【００８２】
ステップＳ２０４：撮影準備部２５ｂは、表示モニタ２０の画面表示の変更処理を行なう。具体的には、撮影準備部２５ｂは、表示モニタ２０の画面表示の表示態様を静止画から動画に変更するため、表示枠２０ａ、２０ｂを表示モニタ２０に表示させる（図５（ａ）参照）。
【００８３】
ステップＳ２０５：動画記録部２５ｃは、撮影準備部２５ｂによる撮影準備の完了後に動画記録を開始する。
【００８４】
ステップＳ２０６：検知部２５は、ユーザにより所定時間内に動画ボタン２２のオフ（第１の押圧操作の解除の指示入力）がなされたか否かを判定する。検知部２５ａが動画ボタン２２のオフを検知した場合（ステップＳ２０６：Ｙｅｓ）、ＣＰＵ２５は、後述するステップＳ２１２の処理に移行する。この場合、図６のフローの処理では、後述するマーキング処理を行なわずに動画記録を行なうこととなる。なお、検知部２５ａは、フラグ情報を、オンからオフに変更する。
【００８５】
一方、検知部２５ａが動画ボタン２２のオフを検知しない場合（ステップＳ２０６：Ｎｏ）、ＣＰＵ２５は、ステップＳ２０７の処理に移行する。
【００８６】
ステップＳ２０７：検知部２５は、ユーザにより動画ボタン２２のオン状態を維持しているか否かを判定する。換言すると、検知部２５ａは、ユーザにより設定時間内に動画ボタン２２のオフ（第１の押圧操作の解除の指示入力）がなされたか否かを判定する。検知部２５ａが動画ボタン２２のオフを検知しない場合（ステップＳ２０７：Ｎｏ）、ＣＰＵ２５は、ステップＳ２０７の処理を繰り返す。これにより、動画記録部２５ｃは、動画記録を継続して行なう。
【００８７】
一方、検知部２５ａが動画ボタン２２のオフを検知した場合（ステップＳ２０７：Ｙｅｓ）、ＣＰＵ２５は、Ｓ２０８の処理に移行する。なお、検知部２５ａは、フラグ情報を、オンからオフに変更する。
【００８８】
ステップＳ２０８：動画記録部２５ｃは、第１のマーキング処理を行なう。具体的には、動画記録部２５ｃは、検知部２５ａが第１の押圧操作の解除を検知した場合、そのタイミングでＲＡＭ１６に記録されたフレームを読み出して、第１のマーキング情報をそのフレームに対応付けて記録する。
【００８９】
ステップＳ２０９：検知部２５ａは、ユーザにより動画ボタン２２のオン（第２の押圧操作の指示入力）がなされたか否かを判定する。検知部２５ａが動画ボタン２２のオンを検知しない場合（ステップＳ２０９：Ｎｏ）、ステップＳ２０９の処理を繰り返す。これにより、動画記録部２５ｃは、動画記録を継続して行なう。一方、検知部２５ａが動画ボタン２２のオンを検知した場合（ステップＳ２０９：Ｙｅｓ）、ＣＰＵ２５は、ステップＳ２１０の処理に移行する。なお、検知部２５ａは、フラグ情報を、オフからオンに変更する。また、検知部２５ａは、押圧操作の指示入力の回数を２としてカウントする。つまり、ＣＰＵ２５は、検知部２５ａが第２の押圧操作を検知したと判断できるので、撮影準備を開始せずに、ステップＳ２１０の処理に移行する。
【００９０】
ステップＳ２１０：動画記録部２５ｃは、第２のマーキング処理を行なう。具体的には、検知部２５ａが第２の押圧操作を検知した場合、そのタイミングでＲＡＭ１６に記録されたフレームを読み出して、第２のマーキング情報をそのフレームに対応付けて記録する。そして、ＣＰＵ２５は、ステップＳ２１１の処理に移行する。
【００９１】
ステップＳ２１１：検知部２５ａは、ユーザにより動画ボタン２２のオン状態を維持しているか否かを判定する。換言すると、検知部２５ａは、ユーザにより動画ボタン２２のオフ（第２の押圧操作の解除の指示入力）がなされたか否かを判定する。検知部２５ａが動画ボタン２２のオフを検知しない場合（ステップＳ２１１：Ｙｅｓ）、ＣＰＵ２５は、ステップＳ２１１の処理を繰り返す。これにより、動画記録部２５ｃは、動画記録を継続して行なう。
【００９２】
一方、検知部２５ａが動画ボタン２２のオフを検知した場合（ステップＳ２１１：Ｎｏ）、ＣＰＵ２５は、後述するステップＳ２１３の処理に移行する。つまり、ＣＰＵ２５は、ユーザにより動画ボタン２２のオフ（第２の押圧操作の解除の指示入力）を受け付けることで、ステップＳ２１３の処理で動画記録を終了させる。これにより、電子カメラ１では、操作性の向上を図ることができる。
【００９３】
ステップＳ２１２：ＣＰＵ２５は、ユーザにより動画ボタン２２のオン（第２の押圧操作の指示入力）がなされたか否かを判定する。検知部２５ａが動画ボタン２２のオンを検知しない場合（ステップＳ２１２：Ｎｏ）、ステップＳ２１２の処理を繰り返す。これにより、動画記録部２５ｃは、動画記録を継続して行なう。一方、検知部２５ａが動画ボタン２２のオンを検知した場合（ステップＳ２１２：Ｙｅｓ）、ＣＰＵ２５は、ステップＳ２１３の処理に移行する。
【００９４】
なお、検知部２５ａは、フラグ情報を、オフからオンに変更する。ここで、ステップＳ２１２の処理は、ステップＳ２０６の処理から分岐されて来ているので、検知部２５ａは、押圧操作の指示入力の回数を２としてカウントする。つまり、ＣＰＵ２５は、検知部２５ａが第２の押圧操作を検知したと判断できるので、撮影準備を開始せずに、ステップＳ２１３の処理に移行する。
【００９５】
ステップＳ２１３：動画記録部２５ｃは、動画記録を終了する。
【００９６】
ステップＳ２１４：ＣＰＵ２５は、動画の撮影モードを解除する。そして、ＣＰＵ２５は、静止画の撮影モードに切り替える。また、ＣＰＵ２５は、フラグ情報を、リセットして、オンからオフに変更する。さらに、ＣＰＵ２５は、押圧操作の指示入力の回数をゼロにリセットする。そして、ＣＰＵ２５は、ステップＳ２１５の処理に移行する。
【００９７】
ステップＳ２１５：ＣＰＵ２５は、表示モニタ２０の画面表示の変更処理を行なう。具体的には、ＣＰＵ２５は、表示モニタ２０の画面表示の表示態様を動画から静止画に変更するため、表示枠２０ａ、２０ｂを表示モニタ２０から消去すると共にスルー画像（アスペクト比４：３）を表示させる。そして、ＣＰＵ２５は、図６に示すフローの処理を終了させる。
【００９８】
以上より、第２実施形態の電子カメラ１の動画撮影処理によれば、図４（ｄ）に示す通り、動画記録によるデータを、記録範囲としてＡ、Ｂ、Cの領域に分けることができる。そのため、電子カメラ１では、動画ボタン２２の押圧操作に応じて記録範囲を簡単に切り出すことができ、動画編集が容易になる。例えば、図４（ｄ）に示す記録範囲Ｂの後に撮影チャンスが訪れた場合、電子カメラ１は、マーキング処理をして動画記録する。これにより、ユーザは記録範囲Ｃの開始位置を容易にサーチすることができる。
【００９９】
すなわち、電子カメラ１は、撮影開始位置、マーキング処理、撮影終了位置をユーザの押圧操作に関連付けることにより、記録範囲を簡単に切り出すことができる。
【０１００】
したがって、本実施形態の電子カメラ１は、撮影機会を逃さないようにして動画記録を行なうことができるだけではなく、さらに、動画編集が容易になる。
【０１０１】
（実施形態の補足事項）
（１）上記の実施形態では、本発明の適用可能な電子機器として、コンパクト方式の電子カメラを例示したが、この方式の電子カメラに限られない。本発明の適用可能な電子機器は、例えば、一眼レフ方式の電子カメラ、デジタルビデオカメラ等、静止画と動画とをデジタル方式で記録することができるカメラが含まれる。また、本発明の適用可能な電子機器は、静止画と動画とをデジタル方式で記録することができれば、携帯電話機、携帯情報端末（ＰＤＡ:Personal Digital Assistant）、その他の動画撮影機能を備える電子機器も含まれる。また、本発明の動画撮影処理は、表示画面のサイズが動画のアスペクト比でない場合、表示画面の表示態様を動画に変更して表示枠を表示するため、特に有効である。
【０１０２】
（２）上記の実施形態では、本発明の受付部として動画ボタン２２を適用したが、これは一例であって、例えば、公知の抵抗膜方式（感圧式）のタッチパネル２１を本発明の受付部として適用しても良い。これにより、ユーザは、タッチパネル２４ｂの表面を指で押圧することによって電子カメラ１を操作することができる。この場合、電子カメラ１は、表示モニタ２０の表示画面に動画ボタンを表示させて、動画ボタン２２と同様の処理を行なわせても良い。
【０１０３】
（３）上記の実施形態では、マーキングの箇所を２箇所にしたが、２箇所に限られず、電子カメラ１は、動画ボタン２２を押し続けている状態の時にリアルタイムでマーキング処理を所定の時間間隔毎に行なえるようにしても良い。或いは、電子カメラ１は、予めマーキングの回数を設定して、設定回数に達するまでは、動画ボタン２２のオンオフに応じて、マーキング処理を行なえるようにしても良い。
【０１０４】
（４）上記の実施形態では、撮影準備部２５ｂは、撮影準備として、ＡＥ制御やＡＦ制御を行なったが、これらの制御に限定されず、ホワイトバランス調整等、他の手段を適宜用いても良い。
【０１０５】
（５）上記の実施形態では、動画記録用の動画ボタン２２と静止画記録用のレリーズ釦２３とを分けて説明したが、例えば、１つのボタンで、動画記録の操作と静止画記録の操作とを兼用しても良い。具体的には、上記の実施形態の動画ボタン２２に、動画記録の操作と静止画記録の操作とを兼用させる。但し、ユーザが予め静止画の撮影モードと動画の撮影モードとを選択することとする。これにより、静止画の撮影モード時には、動画ボタン２２が一段式のレリーズ釦として機能し、動画の撮影モード時には、上記の実施形態の動画ボタン２２として機能するようにしても良い。
【０１０６】
（６）上記の実施形態では、モーションＪＰＥＧ形式に従って記録媒体３０に記録したが、動画記録部２５ｃは、例えばＭＰＥＧ２形式に従って記録媒体３０に記録しても良い。この場合、ＭＰＥＧ２形式のデータ構造では、ＧＯＰ（Group of pictures）層に、いわゆる「Ｉピクチャー」、「Ｐピクチャー」、「Ｂピクチャー」の３種類の画像データ（映像データ）を構成する。動画記録部２５ｃは、例えば検知部２５ａが第１の押圧操作の解除を検知した場合、そのタイミングでＲＡＭ１６から読み出された画像データから作成したIピクチャーに第１のマーキング情報を付与しても良い。
【符号の説明】
【０１０７】
１・・・電子カメラ、１４・・・撮像素子、２２・・・動画ボタン、２５ａ・・・検知部、２５ｂ・・・撮影準備部、２５ｃ・・・動画記録部
【図１】
0005760662.tif 000002
【図２】
0005760662.tif 000003
【図３】
0005760662.tif 000004
【図４】
0005760662.tif 000005
【図５】
0005760662.tif 000006
【図６】
0005760662.tif 000007